(57)【要約】      （修正有）【課題】募集側端末装置と応募側端末装置とを双方向で通信可能とした面接支援装置を提供する。【解決手段】募集側端末装置１に、応募者のインタビュー希望情報と、インタビュー可能な時間情報と、見学希望情報の有無、および見学可能な時間情報などを記憶する記憶部２と、該記憶部の情報を参照して、インタビューや見学希望の要否を要否判定部３で判定し、面接時間内でのインタビューや見学の可能な時間を実行判定部４で判定し、面接スケジュール処理部で面接スケジュールを作成する。【選択図】図１
0003146863.tif 000002
【実用新案登録請求の範囲】
【請求項１】
遠隔地に設けられて、音声や画像、映像を入力する入力手段を有し双方向通信可能に接続されたコンピュータ構成の募集側端末装置と応募側端末装置とを備えた面接支援装置において、
少なくとも募集側端末装置が可搬式からなっており、
該募集側端末装置に、応募者のインタビュー希望の有無、およびインタビュー希望の対象者についてのインタビュー希望情報と、インタビュー可能な時間情報と、応募者の見学希望の有無、および見学希望の対象施設や設備についての見学希望情報と、見学可能な時間情報と、募集者が応募者に応募側端末装置を介して閲覧の要否、および閲覧させる企業案内などの閲覧情報と、面接時間情報とを記憶する記憶部と、
該記憶手段を参照し、インタビュー希望の要否と、見学希望の要否と、閲覧情報閲覧の要否とを判定して、不要と判定されたものを面接スケジュールから除く要否判定部と、
必要と判定されたもので、インタビュー可能な時間およびまたは見学可能な時間と面接時間とを比べて、面接時間の範囲内で実行可能か否かを判定する実行判定部と、
前記面接時間内で、実行可能とされたインタビュー、見学、企業案内などの閲覧または面接官との面接の順番と時間を定める面接スケジュールを作成する面接スケジュール処理部とを備えてなることを特徴とする面接支援装置。
【請求項２】
募集側端末装置に、インタビュー希望の対象者の音声や画像、映像のインタビュー情報を入力、およびまたは見学希望の対象施設や設備の音声や画像、映像の見学情報を入力する入力部と、
入力された情報を通信ネットワークを介して応募側端末装置に送信する送信部とを有していることを特徴とする請求項１に記載の面接支援装置。
【請求項３】
募集側端末装置と応募側端末装置との双方向通信が、携帯電話網を利用した通信ネットワークないしコンピュータネットワークを用いてなることを特徴とする請求項１または２に記載の面接支援装置。
【考案の詳細な説明】
【技術分野】
【０００１】
この考案は、遠隔地に設けられて、音声や画像、映像を入力する入力手段を有し双方向通信可能に接続されたコンピュータ構成の募集側端末装置と応募側端末装置とを備えた面接支援装置に関する。
【背景技術】
【０００２】
コンピュータネットワークを利用して、コンピュータ端末装置間で双方向の通信を行うシステムは知られている。
また、例えば、遠隔地の求職者と面接官とがインターネットを介してサーバを経由して映像情報や音声情報を中継して面接を行う構成として、特開２００３−２１９３８４号や特開２００２−７３９１４号などが知られている。
しかし、これらは求職者と面接官との間だけで行われれるので、均質な面接審査で多数の求職者と面接するには適するが、ヘッドハンティングのように面接に際して当事者がきめの細かい情報を入手することはできなかった。
【特許文献１】特開２００３−２１９３８４号
【特許文献２】特開２００２−７３９１４号
【考案の開示】
【考案が解決しようとする課題】
【０００３】
この考案は上記実情に鑑みてなされたもので、その主たる課題は、双方向通信可能に接続された募集側端末装置と応募側端末装置とを用いて、応募者が希望した場合に、面接官以外の対象者とのインタビューや、施設、設備の見学を、面接時間内でスムーズに行えるようにした面接支援装置を提供することにある。
【課題を解決するための手段】
【０００４】
上記課題を解決するために、請求項１の考案では、
遠隔地に設けられて、音声や画像、映像を入力する入力手段を有し双方向通信可能に接続されたコンピュータ構成の募集側端末装置と応募側端末装置とを備えた面接支援装置において、
少なくとも募集側端末装置が可搬式からなっており、
該募集側端末装置に、応募者のインタビュー希望の有無、およびインタビュー希望の対象者についてのインタビュー希望情報と、インタビュー可能な時間情報と、応募者の見学希望の有無、および見学希望の対象施設や設備についての見学希望情報と、見学可能な時間情報と、募集者が応募者に応募側端末装置を介して閲覧の要否、および閲覧させる企業案内などの閲覧情報と、面接時間情報とを記憶する記憶部と、
該記憶手段を参照し、インタビュー希望の要否と、見学希望の要否と、閲覧情報閲覧の要否とを判定して、不要と判定されたものを面接スケジュールから除く要否判定部と、
必要と判定されたもので、インタビュー可能な時間およびまたは見学可能な時間と面接時間とを比べて、面接時間の範囲内で実行可能か否かを判定する実行判定部と、
前記面接時間内で、実行可能とされたインタビュー、見学、企業案内などの閲覧または面接官との面接の順番と時間を定める面接スケジュールを作成する面接スケジュール処理部とを備えてなることを特徴とする。
また、請求項２の考案では、
前記募集側端末装置と応募側端末装置との双方向通信が、携帯電話網を利用した通信ネットワークないしコンピュータネットワークを用いてなることを特徴とする。
【考案の効果】
【０００５】
この考案は、応募者が、面接官以外の対象者（採用された際の上司や部下、経営者など）とのインタビューを希望した場合や、対象施設や設備の見学を希望した場合に、それらが可能な時間または不可能な時間から、面接時間内で、面接官との面接や企業案内等の閲覧などと共に順序と時間を定める面接スケジュールを作成して、面接時間を無駄なく活用することができる。
インタビューや見学には応募側端末装置を入力に用いるので、応募者は応募側端末装置から上記情報をリアルタイムに入手することができ、同時に、インタビューや見学に関連して、その場で質疑応答することができる。
また、応募側端末装置は面接官が操作すれば、同時に取材者側となって、応募者に種々コメントすることもでき、極めて有益である。
また、双方向通信を利用することで、応募者側端末装置を用いて応募者側の用意した人へのインタビュー情報やモノの見学情報を入力し、募集側端末装置に送信することもできる。
【考案を実施するための最良の形態】
【０００６】
以下に、この考案の面接支援装置の好適な実施例を図面を参照しながら説明する。
【実施例１】
【０００７】
図１に示す面接支援装置１０は、携帯型のパーソナルコンピュータ構成の募集側端末装置１と応募側端末装置１１とからなっており、いずれも画像、映像および音声を入力するカメラ装置Ｃおよびマイク装置Ｍと、キーボード等の外部入力装置Ｋ、スピーカー装置Ｓ、ディスプレイ装置Ｄを周辺機器として有しており、インターネットなどのコンピュータネットワークや通信ネットワークＮを介して双方向通信可能に接続されている。
ここで、接続方法は、端末装置１、１１同士を直接に接続する構成を図示したが、後述のように、サーバ用コンピュータを経由して前記端末装置１、１１を接続するものでもよい。
募集側端末装置１には記憶部２と、要否判定部３と、実行判定部４と、面接スケジュール処理部５とが設けられている。
記憶部２には、応募者のインタビュー希望の有無、およびインタビュー希望の対象者についてのインタビュー希望情報と、インタビュー可能な時間情報と、応募者の見学希望の有無、および見学希望の対象施設や設備についての見学希望情報と、見学可能な時間情報と、募集者が応募者に応募側端末装置を介して閲覧させる企業案内などの閲覧情報と、面接時間情報とが記憶されている。
【０００８】
本実施例では、募集側端末装置１と応募側端末装置１１とが接続されて、
面接実行プログラムが実行されると、応募側端末装置１１の画面上に「要望入力画面」が表示される。
そこで、応募者は、インタビュー希望の有無、および希望有りの場合にはインタビュー希望の対象者についてのインタビュー希望情報と、見学希望の有無、および希望有りの場合には見学希望の対象施設や設備についての見学希望情報とを、応募側端末装置１１の外部入力装置Ｋによって入力する。
入力された上記情報は、前記ネットワークＮを介して募集側端末装置１に送信され、記憶部２に記憶される。
【０００９】
募集者は、インタビュー希望の対象者および見学希望の対象施設や設備の管理者の端末装置にそれぞれ実行可能（または実行不可能）な時間情報の問い合わせをＥメール等で送信し、返信された回答からインタビュー可能な時間情報および見学可能な時間情報を募集側端末装置１に入力して前記記憶部２に記憶される。
また、募集者が応募者に応募側端末装置１を介して閲覧させる企業案内などの画像や映像からなる閲覧情報は予め作成されて、前記記憶部２に記録される。
更に、当該応募者に対する面接予定時間も予め前記記憶部２に記憶される。
【００１０】
上記実施例１では、募集側端末装置１と応募側端末装置１１とが接続されてから前記情報が記憶部２に入力される例を示したが、この発明では前記情報の全部または１部は予め募集者側に伝達され、その回答情報が記憶部２に記憶されるものでもよい。
【００１１】
次に、前記要否判定部３では、前記記憶部２を参照し、インタビュー希望の要否と、見学希望の要否と、募集側端末装置１から入力された企業案内などの閲覧情報の要否データとを基に、インタビュー、見学、および閲覧の要否を判定して、不要とされたものを、次の実行判定部の判定対象から除く。
【００１２】
前記実行判定部４では、判定対象となったインタビューと見学の実行可能時間が面接時間の範囲内に含まれ、且つ実行予定時間（例えば２０分）以上あるか否か判定する。予定時間以上ある場合には、更に、インタビューと見学の両方を面接時間内にそれぞれ実行可能な否かを判定する。
一方または両方が実行不可能な場合には、面接時間の所定の延長により実現可能か否かを判定する。
【００１３】
実行可能と判定されたインタビューおよびまたは見学は、閲覧および面接と共に実行イベントとして決定される。
実行イベントの両方は実行できないがいずれか一方のみ実行可能と判定された場合には、優先順位の高い方を実行イベントと決定する。
優先順位は予め設定しておき、記憶部２に記憶しておき判定に際して参照してもよいが、応募側端末装置１１にＥメールなどで問い合わせ、応募者の回答メールの入力によって決めるものでもよい。
【００１４】
そして、面接スケジュール処理部５により、面接時間内で実行可能なイベントとして決定されたインタビュー、見学、閲覧、面接の全部または一部が前記優先順位情報を参照して、面接時間内での順序と予定時間とが決定され面接スケジュールが作成される。
作成された面接スケジュールは、募集者端末装置１のディスプレイに表示される。
また、通信ネットワークを介して、同時に応募側端末装置１１のディスプレイに表示されるようにしてもよい。
【００１５】
上記面接スケジュールに従って、前記インタビュー、見学、閲覧、または面接の全部または一部が優先順位に従って行われる。
インタビューは募集側端末装置１のカメラＣやマイクＭを用いてインタビュー対象者とのインタビュー状況がリアルタイムで応募側端末装置１１に送信される。
応募者は、応募側端末装置１１のディスプレイＤでインタビューを見、スピーカー装置Ｓで音声を聴くことができ、また、応募者は応募側端末装置１１のカメラＣやマイクＭを用いて音声や映像を入力して募集側端末装置１に送信して、インタビュー対象者と直接に対話することができる。
募集側端末装置１は携帯型なので、インタビュー対象者が別の場所にいてもそこまで移動してインタビューを行うことができる。
【００１６】
見学も同様に募集側端末装置１を、見学対象の設備や施設まで移動させて、カメラＣやマイクＭによって、施設や設備の状況を画像、映像や音声で入力し、応募側端末装置１１に送信することができる。
また、見学と同時に、施設や設備の関係者とのインタビューを同時に行うこともできる。
また、募集側端末装置１の操作は面接官が行うことができ、面接官が取材者側としてインタビューや見学に参加することもできる。
【００１７】
上記実施例では、募集側端末装置１でインタビューや見学を行ったが、応募側端末装置１１のカメラＣやマイクＭを用いて同様にインタビューや見学を行うこともできる。
例えば、応募者が、応募側端末装置１１を用いて、応募者の友人や元同僚などの応募者側インタビューの対象者とのインタビューを行ったり、応募者の製造した製品や構造物の見学を行い、その音声データや映像データを募集側端末装置１に送信してもよい。
この場合も同様に、募集側端末装置１の記憶部２に上記インタビューや見学の有無情報やそれらの可能時間の情報を記憶させておけば、これらを含めて面接スケジュールを作成することができる。
【実施例２】
【００１８】
上記実施例では、応募側端末装置１１は、募集側端末装置１と同様の携帯型のパーソナルコンピュータを用いたが、図２に示すようにデスクトップなどの固定位置に設定されたコンピュータ１１’でもよい。
その他の構成は前記実施例１と同様なのでその説明を省略す。
また、逆に、応募側端末装置１１を携帯型のパーソナルコンピュータとし、募集側端末装置１をデスクトップなどの固定位置に設定されたコンピュータとするものでもよい（図示せず）。
【００１９】
携帯型のパーソナルコンピュータは、画像、映像や音声を入力可能なＰＤＡや携帯電話などであってもよいし、固定位置に設置されたコンピュータはネットテレビ装置などでもよい。
【実施例３】
【００２０】
更に、上記実施例では、応募側端末装置１１と募集側端末装置１とを直接に接続した場合を例示したが、コンピュータ構成のサーバ装置２１を介してネットワークＮに接続する構成でもよい（図３参照）。
【００２１】
この場合、サーバ装置２１には、組となる募集側端末装置１と応募側端末装置１１とから入力される情報を関係づける面接端末組合せ部６を有するほか、前記実施例で募集側端末装置１に設けられた記憶部２と、要否判定部３と、実行判定部４と、面接スケジュール処理部５とが設けられている。
【００２２】
そして、前記通信接続部６で組み合わされた募集側端末装置１と応募側端末装置１１とから入力された各種情報をサーバ装置２１の記憶部２に記憶させ、サーバ装置２１で判定、処理した結果の面接スケジュール情報を募集側端末装置１と応募側端末装置１１にそれぞれ送信する構成からなっている。
【００２３】
また、募集側端末装置１や応募側端末装置１１から入力された音声や画像、映像からなるインタビュー情報や見学情報はサーバ装置２１を介して、対となる応募側端末装置１１や募集側端末装置１に接続される。
この場合、各種情報はサーバ装置２１を介して通信されるので、募集側端末装置１と応募側端末装置１１とは１：１の場合に限らず、一方、あるいは双方が複数であってもよい。
【００２４】
その場合、複数の応募側端末装置１１を単一のグループとして前記単一の募側端末装置１１と同様に扱うことができる。
但し、この場合、インタビューや見学希望が複数重なる場合には、１回のインタビューや見学に置き換えて処理すればよい。
【００２５】
募集側端末装置１は、複数の応募側端末装置１１と接続しておき、同時に複数の応募者と面接を行うようにしてもよい。
あるいは、応募側端末装置１は、複数の募集側端末装置１１と接続しておき、同時に複数の募集者と面接を行うようにしてもよい。
その他、要するにこの考案の要旨を変更しない範囲で用途に応じて種々設計変更しうること勿論である。
【図面の簡単な説明】
【００２６】
【図１】実施例１の面接支援装置の概要を示すブロック図である。
【図２】実施例２の面接支援装置の概要を示すブロック図である。
【図３】実施例３の面接支援装置の概要を示すブロック図である。
【符号の説明】
【００２７】
１    募集側端末装置
２    記憶部
３    要否判定部
４    実行判定部
５    面接スケジュール処理部
６    面接端末組合せ部
１１    応募側端末装置
Ｃ    カメラ装置
Ｄ    ディスプレイ装置
Ｋ    外部入力装置
Ｍ    マイク装置
Ｎ    コンピュータネットワーク
Ｓ    スピーカー装置
【図１】
0003146863.tif 000003
【図２】
0003146863.tif 000004
【図３】
0003146863.tif 000005